(57)【特許請求の範囲】
【請求項１】
ファスナーテープの縁部にエレメントを止着したスライドファスナーのファスナーテープの表面に再帰反射性を有する反射材を装着してなる反射性スライドファスナーにおいて、上記反射材が、ガラスビーズ球の層と、該ガラスビーズ球の層の下面を覆う透光性を有する金属化合物からなる反射層と、該反射層の下に配された反射顔料を含む着色反射層とを備え、かつ上記着色反射層側の下面に接着剤層が積層されている再帰反射材であり、該再帰反射材の接着剤層がファスナーテープの表面に密着されていると共に、上記反射層と着色反射層は透明もしくは半透明であり、かつ上記接着剤層も透明もしくは半透明であり、ファスナーテープの色彩を表出できるように構成されていることを特徴とする反射性スライドファスナー。
【発明の詳細な説明】
【０００１】
【発明の属する技術分野】
本発明は、反射性スライドファスナーに関し、さらに詳しくは、装着されるスライドファスナーのファスナーテープの色彩を表出できるように構成されている反射性スライドファスナーに関する。
【０００２】
【従来の技術】
従来、反射性スライドファスナーや反射性ファスナーテープとしては、スライドファスナーのファスナーテープ及び／又はエレメントの表面に細幅の再帰反射性テープを貼り付けたものや、細幅の再帰反射性テープ又はこれを糸状にした物を織編製して作製したファスナーテープが知られており、これまでに種々のものが提案されている（特許文献１〜３参照）。
【０００３】
しかしながら、従来の反射性スライドファスナーは、ファスナーテープ及び／又はエレメントの表面に非透光性の色付きの再帰反射性テープを貼り付けたものであるため、貼り付けた部分のファスナーエレメントやファスナーテープの色、柄が隠されてしまっていた。これは、従来の再帰反射性テープの反射層がアルミニウム、銀、銅等の金属の蒸着又はメッキにより形成されており、透光性を有さないためである。例えば銀を蒸着したものの場合、反射材が銀色であり、ファスナーテープの色がこれに近いものであればそれほど問題ないが、異なる色の場合、反射材の存在が表出し、外観からもわかり、意匠的にも良くなかった。そのため、ファスナーテープやエレメントの色と再帰反射性テープの同色性が必要な場合、色合わせを行ないながら再帰反射性テープを作製する必要があり、製造に長時間を要するという問題があった。また、多色のファスナーテープ及び／又はエレメントに対しては、個々に色彩の異なる再帰反射性テープを用意する必要があり、また、再帰反射性のファスナーテープ色間で反射輝度差があった。このような問題は、細幅の再帰反射性テープ又は糸を織編製した各種テープにおいても同様であった。
【０００４】
【特許文献１】
特公平４−７９２４２号公報（特許請求の範囲、第２頁第３欄３１〜３４行）
【特許文献２】
特開平９−２２８２０５号公報（請求項１、段落番号００１９）
【特許文献３】
特開平１０−２９５４１７号公報（請求項１、段落番号００２９）
【０００５】
【発明が解決しようとする課題】
従って、本発明の目的は、通常の使用状態（日光等の拡散光が当たった条件下）ではスライドファスナーのファスナーテープ等の被装着物の色、柄をそのまま表出できるが、光を当てた場合（再帰反射の条件下）には再帰反射性能を発揮し、従って、多色のファスナーテープ等に対し、個々に色彩の異なる反射材を準備する必要がなく、１つの反射材にて多色のファスナーテープ等に対応できる反射性スライドファスナーを提供することにある。
【０００６】
【課題を解決するための手段】
前記目的を達成するために、本発明によれば、ファスナーテープの縁部にエレメントを止着したスライドファスナーのファスナーテープの表面に再帰反射性を有する反射材を装着してなる反射性スライドファスナーにおいて、上記反射材が、ガラスビーズ球の層と、該ガラスビーズ球の層の下面を覆う透光性を有する金属化合物からなる反射層と、該反射層の下に配された反射顔料を含む着色反射層とを備え、かつ上記着色反射層側の下面に接着剤層が積層されている再帰反射材であり、該再帰反射材の接着剤層がファスナーテープの表面に密着されていると共に、上記反射層と着色反射層は透明もしくは半透明であり、かつ上記接着剤層も透明もしくは半透明であり、ファスナーテープの色彩を表出できるように構成されていることを特徴とする反射性スライドファスナーが提供される。
ここで、再帰反射性を有する反射材の形態としては、透明もしくは半透明であることが望ましく、テープ状、糸状等を含む（以下、これらを総称して再帰反射材という）。また、装着の態様としては、接着もしくは（ホットメルトによる）貼着、縫着等によるものを含む。
【０００７】
【発明の実施の形態】
本発明の反射性スライドファスナーは、装着されるファスナーテープ等の被装着物の色彩を表出できるように構成されている。従って、通常の使用状態（日光等の拡散光が当たった条件下）では、例えばスライドファスナーのファスナーテープの色、柄をそのまま表出できるが、光を当てた場合（再帰反射の条件下）には再帰反射性能を発揮できる。その結果、本発明の反射性スライドファスナーでは、多色のファスナーテープに対し、色合わせをして個々に色彩の異なる反射材を製造する必要がなく、１つの反射材にて多色のファスナーテープに対応でき、また、色のみでなく柄や模様が表現されたファスナーテープにも対応できる。
【０００８】
また、本発明においては、反射材として、透光性を有する金属化合物からなる反射層と、該反射層の下方に配された反射顔料を含む着色反射層とを含んでいる透明もしくは半透明のカラー再帰反射材が用いられる。
この再帰反射材においては、反射層が透光性を有する金属化合物からなるので、光を当てた場合には（再帰反射の条件下では）、上方から入射した光は一部が反射層により再帰反射され、これに加えて反射層を透過した光の一部が着色反射層に含まれる反射顔料により入射してきた方向に再帰反射される。従って、充分に高い反射輝度を実現することができる。また、着色反射層を設けたカラー再帰反射材の場合、スライドファスナーのファスナーテープの色と異なる反射光とすることができる（着色反射層中に配合される顔料の種類により、反射光を異なる色彩にできる）。他方、通常の使用状態（日光等の拡散光が当たった条件下）ではスライドファスナーのファスナーテープの色、柄がそのまま表出するので外観を損なうことはなく、意匠性にも優れている。
【０００９】
【実施例】
以下、添付図面に示す幾つかの実施例を説明しつつ、本発明についてさらに具体的に説明する。
図１及び図２は、本発明の反射性スライドファスナーの２つの実施例を示しており、ファスナーテープ１の一側縁にファスナーエレメント列部（５）を設け、スライダー４で開閉するものである。このスライドファスナーにおけるファスナーエレメント列部のファスナーテープ表面（図１の場合）又はファスナーエレメント列部の外側のファスナーテープ表面（図２の場合）には、後述するように、長手方向に細幅の再帰反射材（再帰反射性テープ）が長手方向に連続して、接着、溶着あるいは縫着等により装着されている。尚、ファスナーエレメントは合成樹脂の射出成形品に限らず、押出成形品、あるいは金属のダイガスト成形品であってもよい。
【００１０】
図１は本発明の反射性スライドファスナーの一実施例を示している。この実施例の場合、ファスナーテープ１の一側縁にはコイル状ファスナーエレメント５が設けられており、左右のコイル状ファスナーエレメント５，５が噛合した状態において、左右の両再帰反射性テープ１０ａ，１０ａが互いに接触するようにしたもので、噛合状態のファスナーエレメント列部の表面全体が実質的に再帰反射面となるように構成され、またテープ表面の模様を表出するようにしている。さらに、再帰反射性テープは仮想線で示すようにテープ縁部以外のテープ表面に設けてもよい。
また、図２は本発明の反射性スライドファスナーの他の実施例を示している。この実施例の場合、ファスナーテープ１の一側縁にコイル状ファスナーエレメント５が設けられていることは前記図１に示す実施例と同様であるが、左右一対のファスナーテープ１にそれぞれ長手方向に平行に再帰反射性テープ１０ｂが接着、縫着等により装着されている点で異なる。
【００１１】
次に、前記再帰反射材（再帰反射性テープ）の幾つかの形態を図３及び図４を参照しながら説明する。
なお、以下の図３及び図４においては、説明の便宜のために、再帰反射性テープは平面方向に連続するシートの一部の断片のみが、ガラスビーズ球が切断されることなく整然と整列され、また各層は層の平面的に広がる方向に均一の厚さであるかのように描かれているが、実際にはガラスビーズ球は比較的にランダムに厚みをもって分布していてよく、また、ガラスビーズ球の大きさや各層の厚さは、他の層の厚さ等に対して必ずしも正確な比率で図示されているわけではなく、説明のために厚くしたり薄くしたりしている場合がある。
【００１２】
また、本発明に用いる再帰反射材には、図柄を設けてもよい。図柄も透明又は半透明であれば、下地の色が薄く色付けされた状態で表出するので、色彩の同一性を保持できる。このようなカラー再帰反射材の幾つかの例を図３及び図４に示す。
図３及び図４は本発明に用いるカラー再帰反射材の２つの例の基本構造を示す部分概略拡大断面図である。
図３に示すカラー再帰反射材１０ｃは、上方から順に基礎層１１、被覆層１２、ガラスビーズ球１３の層、反射層１４、着色反射層１５、及び接着剤層１６からなり、被接着物Ａに接着される。接着剤層１６は無色透明であるが、透明性を損なわない限り着色されていてもよい。
反射層１４はガラスビーズ球１３の下側の表面（隣り合うガラスビーズ球１３同士の隙問では被覆層１２の表面）に被覆されている。すなわち、この再帰反射材は、ガラスビーズ球に反射層を直接被覆するタイプである。
【００１３】
前記基礎層１１は、ＰＥＴフィルム等の樹脂フィルムや、紙等から作製され、使用時には再帰反射材から剥離されてもよい。
また、前記被覆層１２は、例えばポリウレタン、ポリ塩化ビニルのような無色透明の樹脂製である。
一方、前記反射層１４は、金属化合物からなり、必要な反射輝度率と透明度とのバランスを確保するためには３００〜８００Åの厚さであることが好ましく、望ましくは、充分な反射輝度率を実現でき、かつ蒸着やスパッタ加工の速度を速くして加工時間を短縮することができるように、約３５０〜５００Åの厚さとすることが好ましい。
【００１４】
前記金属化合物としては、酸化チタン（ＴｉＯ２）、酸化ビスマス（Ｂｉ２Ｏ３）、酸化ジルコニウム（ＺｒＯ２）、酸化ケイ素（ＳｉＯ２）、酸化亜鉛（ＺｎＯ）、硫化亜鉛（ＺｎＳ）等が挙げられる。これらの金属化合物は無色で透明性が高く、蒸着等により薄い反射層を形成する加工が可能である。これらのうち、特に、酸化チタンはスパッタ法による層の厚さをコントロールした蒸着が可能であり、また硫化亜鉛はより迅速かつ安価に反射層を形成できる点で好ましい。
【００１５】
このような再帰反射材は、従来の製造方法により製造可能である。
例えば、図３に示す再帰反射材１０ｃの場合、基礎層１１の上面（以下、図３の配置とは上下逆にして説明する）にポリウレタンを塗工して被覆層１２を形成し、その上にガラスビーズ球１３を散布し、ガラスビーズ球１３がポリウレタン（被覆層１２）に一部が埋入するように、約８０〜１００℃に加熱する。被覆層１２が冷めて硬化した後、ガラスビーズ球１３の被覆層１２に埋もれている部分とは反対側の半球面に、酸化チタン等の金属化合物を所定の厚さになるように蒸着して反射層１４を形成する。
【００１６】
その後、図３に示されるように、反射層１４の下方には着色反射層１５が積層され、さらに接着剤層１６が積層される。なお、接着剤層１６は、接着される前には剥離紙（図示せず）で覆われている。
着色反射層１５は反射顔料を含有する透明樹脂からなる。反射顔料としては、従来の再帰反射性テープに普通に使用されているもので足り、具体的には雲母、パール粉体、有色パール粉体、アルミニウム粉体などである。反射顔料の量は、多いほどカラー再帰反射材の輝度は上がるのは当然であるが、逆に堅牢度が低下することがあり、反射顔料の種類にもよるが、着色反射層全体の１０〜３０質量％程度配合されていることが好ましく、望ましくは２０質量％程度である。
【００１７】
また、前記着色反射層は、着色顔料及び／又は染料を含有する透明樹脂製とすることができる。例えば、ポリウレタン、ポリエチレン、ポリエステル、シリコーン樹脂などの透明樹脂を基材とし、着色顔料及び／又は染料により着色すると共に、反射顔料を含有させて製造できる。染料や着色顔料は、基材を着色できるものであればその種類は限定されないが、透明性の高い染料や顔料を選択することが好ましい。代表的な例としてはイソインドリノン、塩素化銅フタロシアニン、フタロシアニン、ジスアゾ、アンスラキノンなどの有機顔料が挙げられる。着色反射層の色は、白や黒や金属色も含み、実質的に制限されない全ての色を選択することができる。例えば、着色顔料として酸化チタン（ＴｉＯ２）粉末を選ぶことにより、高い白色度のカラー再帰反射材を得ることができる。特に有色パール顔料のような無機顔料の場合、反射顔料が色彩を呈することもある。
【００１８】
図４に示すカラー再帰反射材１０ｄは、前記図３に示すカラー再帰反射材１０ｃの変形例であり、上方から順に基礎層１１、被覆層１２、ガラスビーズ球１３の層、反射層１４、着色反射層１５と着色層１７、及び接着剤層１６からなり、被接着物Ａ（ファスナーテープ等）に接着される。なお、接着剤層１６は、接着される前には剥離紙（図示せず）で覆われている。着色反射層１５と着色層１７の形成は、オフセット印刷、グラビア印刷、シルクスクリーン印刷等の通常の印刷技術により行なうことができる。また、着色層は無色透明の層としてもよく、あるいは接着剤層などの他の機能を有するものとすることもできる。
着色反射層１５と着色層１７とは異なる色に着色されて、拡散光の下では柄を見ることができる。また、着色反射層１５にはパール顔料等が含有されており、従って着色反射層１５の部分は着色層１７の部分に比べて再帰反射の輝度率が高い。従って、再帰反射条件下でも柄を視認することができる、なお、この実施形態では、カラー再帰反射材は着色反射層１５に加えて着色層１７を備えているが、着色層１７に代えて異なる色の着色反射層１５を設けて柄を発現させるようにしてもよいことは言うまでもない。
【００１９】
図４に示すカラー再帰反射材１０ｄの製造においては、前述したように反射層１４まで形成した状態で、続いて、反射層１４の上に着色反射層１５及び着色層１７をスクリーン印刷し、さらにその上に接着剤層１６と剥離紙を接着する。オープンタイプの場合、基礎層１１及び被覆層１２を剥離する。使用時には、剥離紙を剥がして接着剤層１６と被接着物Ａとを密着させる。
【００２０】
なお、前記図３及び図４に示すカラー再帰反射材の場合、被覆層１２の下方に配設されているガラスビーズ球１３としては、屈折率１．９前後のものが選ばれる。例えば、屈折率は１．９２、直径は例えば３８〜５０μｍあるいは４５〜９０μｍの範囲である。この屈折率のガラスビーズ球１３を用いた場合、図３及び図４に示されるように、焦点位置はガラスビーズ球１３の下半球の表面に一致する。
【００２１】
前記図３及び図４に示すカラー再帰反射材は、拡散光の下では、基礎層１１、被覆層１２、ガラスビーズ球１３及び反射層１４はいずれも透明であり、また着色反射層１５及び着色層１７は色付けされているが透明又は半透明であるため、被接着物Ａ（ファスナーテープ等）の色や柄がそのまま上方から視認できる。再帰反射の条件下では、上方から入射した光は、ガラスビーズ球１３により屈折し、一部はガラスビーズ球１３の下方の反射層１４の上面で反射し、入射角と同じ角度に再帰反射する。また、光の一部は反射層１４を通り抜け、着色反射層１５（図４に示す実施例の場合、さらに着色層１７）に達する。着色反射層１５に達した光の一部は、パール顔料等の反射顔料により反射され、再度ガラスビーズ球１３を通って再帰反射する。反射層１４を通り抜けて着色層１７に達した光の一部は、拡散、吸収される。また、着色反射層１５及び着色層１７により形成される柄は、再帰反射の輝度をそのまま反映するので、再帰反射条件下でも柄が構成されていることを視認できる。
【００２２】
前記したような再帰反射材は、シート状のものを裁断して細幅テープ状や糸状とすることができる。また、着色反射層は無色にしておき、細く裁断して布帛などの製品とした後で後染めすることもできる。また、従来の反射層にアルミニウムを使用した再帰反射性テープを含む布帛に染色やリラックス加工等を施すと、アルミニウムが酸やアルカリに冒されて反射性能が低下していたが、本発明に用いる反射層は金属化合物からなるため、酸やアルカリにはかなり耐えることができる。衣料品の洗濯に対する耐性の高さは、被服に再帰反射材を用いたスライドファスナーやファスナーテープが装着されている場合にも極めて重要である。
【００２３】
【発明の効果】
以上説明したように、本発明の反射性スライドファスナーは、特に透光性を有する金属化合物からなる反射層、さらに該反射層の上方に配された多数の微小ガラスビーズとを含んでいる透明もしくは半透明の再帰反射材を用いるため、通常の使用状態（日光等の拡散光が当たった条件下）ではスライドファスナーのファスナーテープの色、柄をそのまま表出でき、光を当てた場合（再帰反射の条件下）において再帰反射性能を発揮できる。
また、本発明においては、前記反射層の下方に配された反射顔料を含む着色反射層をさらに含んでいる透明もしくは半透明のカラー再帰反射材を用いるため、着色反射層中に配合される顔料の種類により、反射光を異なる色彩にできるので、スライドファスナーのファスナーテープの色と異なる反射光とすることができる。他方、通常の使用状態（日光等の拡散光が当たった条件下）ではスライドファスナーのファスナーテープの色、柄がそのまま表出するので外観を損なうことはなく、意匠性にも優れている。
従って、本発明の反射性スライドファスナーでは、多色のファスナーテープに対し、色合わせをして個々に色彩の異なる反射材を製造する必要がなく、１つの反射材にて多色のファスナーテープに対して対応でき、また、色のみでなく柄、模様が表現されたファスナーテープにも対応でき、使用用途を拡大できる。
【図面の簡単な説明】
【図１】  本発明の反射性スライドファスナーの一実施例を示す部分概略斜視図である。
【図２】  本発明の反射性スライドファスナーの他の実施例を示す部分概略平面図である。
【図３】  本発明に用いるカラー再帰反射材の一例を示す部分概略拡大断面図である。
【図４】  本発明に用いるカラー再帰反射材の他の例を示す部分概略拡大断面図である。
【符号の説明】
１  ファスナーテープ
４  スライダー
５  コイル状ファスナーエレメント
１０ａ，１０ｂ，１０ｃ，１０ｄ  再帰反射材（再帰反射性テープ）
１３  ガラスビーズ球
１４  反射層
１５  着色反射層
【図１】
0004071095.tif 000002
【図２】
0004071095.tif 000003
【図３】
0004071095.tif 000004
【図４】
0004071095.tif 000005